【事件の表示】
　特許第３３３７８６９号「印刷制御装置および印圧制御方法」の請求項１ないし１２に係る特許に対する特許異議の申立てについて、次のとおり決定する。
【結　論】
　訂正を認める。
　特許第３３３７８６９号の請求項１ないし８に係る特許を維持する。
【理　由】
１．手続の経緯
　本件特許第３３３７８６９号の請求項１〜１２に係る発明は、平成７年５月３１日に特許出願され、平成１４年８月９日に設定登録がなされ、江原隆彦より特許異議の申立がなされ、取消理由通知がなされ、その指定期間内である平成１５年１０月６日に訂正請求がなされ、再度、取消理由通知がなされ、平成１５年１２月４日に前記訂正請求は取り下げられると共に新たに訂正請求がなされたものである。
２．訂正の適否について
　ア．訂正の内容
　訂正事項ａ
　発明の名称の「印刷制御装置および印刷制御方法」を「印刷装置およびネットワーク形態出力方法」に訂正する。
　訂正事項ｂ
　特許請求の範囲の請求項１の
「【請求項１】
　ネットワークに接続されている印刷制御装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークに接続されている機器を示すネットワーク情報を出力部に出力させる出力制御手段と、を有することを特徴とする印刷制御装置。」
を、
「【請求項１】
　ネットワークに接続されていて印刷をする印刷装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークにおいて立ち上がっている機器を示すネットワーク形態情報を出力部に出力させる出力制御手段と、を有することを特徴とする印刷装置。」
に訂正する。
　訂正事項ｃ
　特許請求の範囲の請求項２の
「【請求項２】
　ネットワークに接続されている印刷制御装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークに接続されている機器を示すネットワーク情報を表示させる表示制御手段と、
を有することを特徴とする印刷制御装置。」
を、
「【請求項２】
　ネットワークに接続されていて印刷をする印刷装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークにおいて立ち上がっている機器を示すネットワーク形態情報を表示させる表示制御手段と、
を有することを特徴とする印刷装置。」
に訂正する。
　訂正事項ｄ
　特許請求の範囲の請求項３の
「【請求項３】
　前記ネットワーク情報の出力を指示する出力コマンドを受信するコマンド受信手段を有し、
　前記送信手段は、前記コマンド受信手段により前記出力コマンドが受信された場合、前記確認コマンドを送信することを特徴とする請求項１あるいは２に記載の印刷制御装置。」
を、
「【請求項３】
　前記ネットワーク形態情報の出力を指示する出力コマンドを受信するコマンド受信手段を有し、
　前記送信手段は、前記コマンド受信手段により前記出力コマンドが受信された場合、前記確認コマンドを送信することを特徴とする請求項１あるいは２に記載の印刷装置。」
に訂正する。
　訂正事項ｅ
　特許請求の範囲の請求項４の
「【請求項４】
　前記送信手段は、前記確認コマンドをネットワークにブロードキャストすることを特徴とする請求項１乃至３のいずれかに記載の印刷制御装置。」
を、
「【請求項４】
　前記送信手段は、前記確認コマンドをネットワークにブロードキャストすることを特徴とする請求項１乃至３のいずれかに記載の印刷装置。」
に訂正する。
　訂正事項ｆ
　特許請求の範囲の請求項５を削除する。
　訂正事項ｇ
　特許請求の範囲の請求項６を削除する。
　訂正事項ｈ
　特許請求の範囲の請求項７の
「【請求項７】
　ネットワークに接続されている印刷制御装置における印刷制御方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークに接続されている機器を示すネットワーク情報を出力部に出力させる出力制御ステップと、を有することを特徴とする印刷制御方法。」
を、
「【請求項５】
　ネットワークに接続されていて印刷をする印刷装置におけるネットワーク形態出力方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークにおいて立ち上がっている機器を示すネットワーク形態情報を出力部に出力させる出力制御ステップと、を有することを特徴とするネットワーク形態出力方法。」
に訂正する。
　訂正事項ｉ
　特許請求の範囲の請求項８の
「【請求項８】
　ネットワークに接続されている印刷制御装置における印刷制御方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークに接続されている機器を示すネットワーク情報を表示させる表示制御ステップと、を有することを特徴とする印刷制御方法。」
を、
「【請求項６】
　ネットワークに接続されていて印刷をする印刷装置におけるネットワーク形態出力方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークに接続されている機器を示すネットワーク形態情報を表示させる表示制御ステップと、を有することを特徴とするネットワーク形態出力方法。」
に訂正する
　訂正事項ｊ
　特許請求の範囲の請求項９の
「【請求項９】
　前記ネットワーク情報の出力を指示する出力コマンドを受信するコマンド受信ステップを有し、
　前記送信ステップは、前記コマンド受信ステップにより前記出力コマンドが受信された場合、前記確認コマンドを送信することを特徴とする請求項７あるいは８に記載の印刷制御方法。」
を、
「【請求項７】
　前記ネットワーク形態情報の出力を指示する出力コマンドを受信するコマンド受信ステップを有し、
　前記送信ステップは、前記コマンド受信ステップにより前記出力コマンドが受信された場合、前記確認コマンドを送信することを特徴とする請求項５あるいは６に記載のネットワーク形態出力方法。」
に訂正する。
　訂正事項ｋ
　特許請求の範囲の請求項１０の
「【請求項１０】
　前記送信ステップは、前記確認コマンドをネットワークにブロードキャストすることを特徴とする請求項７乃至９のいずれかに記載の印刷制御方法。」
を、
「【請求項８】
　前記送信ステップは、前記確認コマンドをネットワークにブロードキャストすることを特徴とする請求項５乃至７のいずれかに記載のネットワーク形態出力方法。」
に訂正する。
　訂正事項ｌ
　特許請求の範囲の請求項１１を削除する。
　訂正事項ｍ
　特許請求の範囲の請求項１２を削除する。
　訂正事項ｎ
　特許明細書の段落【０００１】の
「【０００１】
　本発明は、ネットワークに接続されている機器と通信可能な印刷制御装置および印刷制御方法に関するものである。」
を、
「【０００１】
　本発明は、ネットワークに接続されている機器と通信可能な印刷装置およびネットワーク形態出力方法に関するものである。」
に訂正する。
　訂正事項ｏ
　特許明細書の段落【０００５】の
「【０００５】
　本発明は、上記の問題点を解決するためになされたもので、本発明の目的は、前記ネットワークに接続されている機器を確認するための確認コマンドを送信し、該確認コマンドに対する応答情報を受信し、該受信された前記応答情報に基づいて、前記ネットワークに接続されている機器を示すネットワーク情報を出力部に印刷させまたは表示させることにより、ネットワークに接続されている機器からの応答情報を収集して、ネットワークに接続されていて起動している機器またはその機器の状態を示すネットワーク情報を出力してユーザに認知させることができる印刷制御装置および印刷制御方法を提供することである。」
を、
「【０００５】
　本発明は、上記の問題点を解決するためになされたもので、本発明の目的は、前記ネットワークに接続されている機器を確認するための確認コマンドを送信し、該確認コマンドに対する応答情報を受信し、該受信された前記応答情報に基づいて、前記ネットワークに接続されている機器を示すネットワーク情報を出力部に印刷させまたは表示させることにより、ネットワークに接続されている機器からの応答情報を収集して、ネットワークにおいて立ち上がっている機器を示すネットワーク形態情報を出力してユーザに認知させることができる印刷装置およびネットワーク形態出力方法を提供することである。」
に訂正する。
　訂正事項ｐ
　特許明細書の段落【０００６】の
「【０００６】
　【課題を解決するための手段】
　本発明に係る第１の発明は、ネットワークに接続されている印刷制御装置であって、前記ネットワークに接続されている機器を確認するための確認コマンドを送信する送信手段と、前記確認コマンドに対する応答情報を受信する情報受信手段と、前記情報受信手段により受信された前記応答情報に基づいて、前記ネットワークに接続されている機器を示すネットワーク情報を出力部に出力させる出力制御手段とを有することを特徴とする。」
を、
「【０００６】
　【課題を解決するための手段】
　本発明に係る第１の発明は、ネットワークに接続されていて印刷をする印刷装置であって、前記ネットワークに接続されている機器を確認するための確認コマンドを送信する送信手段と、前記確認コマンドに対する応答情報を受信する情報受信手段と、前記情報受信手段により受信された前記応答情報に基づいて、前記ネットワークにおいて立ち上がっている機器を示すネットワーク形態情報を出力部に出力させる出力制御手段とを有することを特徴とする。」
に訂正する。
　訂正事項ｑ
　特許明細書の段落【０００７】の
「【０００７】本発明に係る第２の発明は、ネットワークに接続されている印刷制御装置であって、前記ネットワークに接続されている機器を確認するための確認コマンドを送信する送信手段と、前記確認コマンドに対する応答情報を受信する情報受信手段と、前記情報受信手段により受信された前記応答情報に基づいて、前記ネットワークに接続されている機器を示すネットワーク情報を表示させる表示制御手段とを有することを特徴とする。」
を、
「【０００７】本発明に係る第２の発明は、ネットワークに接続されていて印刷をする印刷装置であって、前記ネットワークに接続されている機器を確認するための確認コマンドを送信する送信手段と、前記確認コマンドに対する応答情報を受信する情報受信手段と、前記情報受信手段により受信された前記応答情報に基づいて、前記ネットワークにおいて立ち上がっている機器を示すネットワーク形態情報を表示させる表示制御手段とを有することを特徴とする。」
に訂正する。
　訂正事項ｒ
　特許明細書の段落【０００８】の
「【０００８】
　本発明に係る第３の発明は、前記ネットワーク情報の出力を指示する出力コマンドを受信するコマンド受信手段を有し、前記送信手段は、前記コマンド受信手段により前記出力コマンドが受信された場合、前記確認コマンドを送信することを特徴とする。」
を、
「【０００８】
　本発明に係る第３の発明は、前記ネットワーク形態情報の出力を指示する出力コマンドを受信するコマンド受信手段を有し、前記送信手段は、前記コマンド受信手段により前記出力コマンドが受信された場合、前記確認コマンドを送信することを特徴とする。」
に訂正する。
　訂正事項ｓ
　特許明細書の段落【０００９】の
「【０００９】
　本発明に係る第４の発明は、前記送信手段は、前記確認コマンドをネットワークにブロードキャストすることを特徴とする。
　本発明に係る第５の発明は、前記ネットワーク情報は、前記ネットワークに接続され、起動している機器を示すことを特徴とする。
　本発明に係る第６の発明は、前記ネットワーク情報は、前記ネットワークに接続されている機器の接続状態を示すことを特徴とする。
　本発明に係る第７の発明は、ネットワークに接続されている印刷制御装置における印刷制御方法であって、前記ネットワークに接続されている機器を確認するための確認コマンドを送信する送信ステップと、前記確認コマンドに対する応答情報を受信する情報受信ステップと、前記情報受信ステップにより受信された前記応答情報に基づいて、前記ネットワークに接続されている機器を示すネットワーク情報を出力部に出力させる出力制御ステップとを有することを特徴とする。
　本発明に係る第８の発明は、ネットワークに接続されている印刷制御装置における印刷制御方法であって、前記ネットワークに接続されている機器を確認するための確認コマンドを送信する送信ステップと、前記確認コマンドに対する応答情報を受信する情報受信ステップと、前記情報受信ステップにより受信された前記応答情報に基づいて、前記ネットワークに接続されている機器を示すネットワーク情報を表示させる表示制御ステップとを有することを特徴とする。
　本発明に係る第９の発明は、前記ネットワーク情報の出力を指示する出力コマンドを受信するコマンド受信ステップを有し、前記送信ステップは、前記コマンド受信ステップにより前記出力コマンドが受信された場合、前記確認コマンドを送信することを特徴とする。
　本発明に係る第１０の発明は、前記送信ステップは、前記確認コマンドをネットワークにブロードキャストすることを特徴とする。
　本発明に係る第１１の発明は、前記ネットワーク情報は、前記ネットワークに接続され、起動している機器を示すことを特徴とする。
　本発明に係る第１２の発明は、前記ネットワーク情報は、前記ネットワークに接続されている機器の接続状態を示すことを特徴とする。」
を、
「【０００９】本発明に係る第４の発明は、前記送信手段は、前記確認コマンドをネットワークにブロードキャストすることを特徴とする。
　本発明に係る第５の発明は、ネットワークに接続されていて印刷をする印刷装置におけるネットワーク形態出力方法であって、前記ネットワークに接続されている機器を確認するための確認コマンドを送信する送信ステップと、前記確認コマンドに対する応答情報を受信する情報受信ステップと、前記情報受信ステップにより受信された前記応答情報に基づいて、前記ネットワークにおいて立ち上がっている機器を示すネットワーク形態情報を出力部に出力させる出力制御ステップとを有することを特徴とする。
　本発明に係る第６の発明は、ネットワークに接続されていて印刷をする印刷装置におけるネットワーク形態出力方法であって、前記ネットワークに接続されている機器を確認するための確認コマンドを送信する送信ステップと、前記確認コマンドに対する応答情報を受信する情報受信ステップと、前記情報受信ステップにより受信された前記応答情報に基づいて、前記ネットワークにおいて立ち上がっている機器を示すネットワーク形態情報を表示させる表示制御ステップとを有することを特徴とする。
　本発明に係る第７の発明は、前記ネットワーク形態情報の出力を指示する出力コマンドを受信するコマンド受信ステップを有し、前記送信ステップは、前記コマンド受信ステップにより前記出力コマンドが受信された場合、前記確認コマンドを送信することを特徴とする。
　本発明に係る第８の発明は、前記送信ステップは、前記確認コマンドをネットワークにブロードキャストすることを特徴とする。」
に訂正する。
　訂正事項ｔ
　特許明細書の段落【００５７】の
「【００５７】
　【発明の効果】
　以上説明したように、本発明にによれば、ネットワークに接続されている機器からの応答情報を収集して、ネットワークに接続されていて起動している機器またはその機器の状態を示すネットワーク情報を出力してユーザに認知させることができる。」
を、
「【００５７】
　【発明の効果】
　以上説明したように、本発明によれば、ネットワークに接続されている機器からの応答情報を収集して、ネットワークにおいて立ち上がっている機器を示すネットワーク形態情報を出力してユーザに認知させることができるという効果を奏する。」
に訂正する。
　イ．訂正の目的の適否、新規事項の有無及び拡張・変更の存否
　訂正事項ａについて
　この訂正事項ａは、訂正事項ｂ〜ｍに整合するように発明の名称を訂正するものであるから明りょうでない記載の釈明に該当し、新規事項を追加するものでなく、特許請求の範囲を実質的に拡張又は変更するものでもない。
　訂正事項ｂ〜ｅについて
　「印刷制御装置」の「印刷をする印刷装置」への訂正は、出願当初の明細書の記載に戻すものであるから誤記の訂正に該当し、新規事項を追加するものでなく、特許請求の範囲を実質的に拡張又は変更するものでもない。
　また、「ネットワークに接続されている機器を示すネットワーク情報を出力部に出力させる出力制御手段」の「ネットワークに接続されている機器を示すネットワーク情報を表示させる表示制御手段」への訂正は、特許請求の範囲の減縮に該当し、特許明細書の段落【００２９】〜【００３４】の記載から自明であり、新規事項を追加するものでなく、特許請求の範囲を実質的に拡張又は変更するものでもない。
　訂正事項ｆ、ｇ、ｌ、ｍについて
　この訂正事項ｆ、ｇ、ｌ、ｍは、特許請求の範囲の請求項を削除するものでるから特許請求の範囲の減縮に該当し、新規事項を追加するものでなく、特許請求の範囲を実質的に拡張又は変更するものでもない。
　訂正事項ｈ〜ｋについて
　「印刷制御装置」の「印刷をする印刷装置」への訂正は、出願当初の明細書の記載に戻すものであるから誤記の訂正に該当し、新規事項を追加するものでなく、特許請求の範囲を実質的に拡張又は変更するものでもない。
　また、「印刷制御方法」の「ネットワーク形態出力方法」への訂正は、明りょうでない記載の釈明に該当し，特許明細書の段落【０００６】〜【０００９】、【００２９】〜【００３６】及び【００４４】の記載の事項から自明であるから新規事項を追加するものでなく、特許請求の範囲を実質的に拡張又は変更するものでもない。
　訂正事項ｎ〜ｔについて
　この訂正事項ｎ〜ｔは、訂正事項ａ〜ｍの訂正に整合するように特許明細書の記載の事項を訂正するものであるから明りょうでない記載の釈明に該当し、新規事項を追加するものでなく、特許請求の範囲を実質的に拡張又は変更するものでもない。
　ウ．むすび
　以上のとおり、上記訂正は、特許法第１２０条の４第２項及び第３項で準用する特許法第１２６条第２、３項の規定に適合するので、当該訂正を認める。
３．特許異議申立について
　ア．本件発明
　訂正後の本件特許明細書の特許請求の範囲の請求項１〜８に係る発明（以下、本件発明１〜８という。）は次のとおりのものである。
「【請求項１】
　ネットワークに接続されていて印刷をする印刷装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークにおいて立ち上がっている機器を示すネットワーク形態情報を出力部に出力させる出力制御手段と、を有することを特徴とする印刷装置。
　【請求項２】
　ネットワークに接続されていて印刷をする印刷装置であって、
　前記ネットワークに接続されている機器を確認するための確認コマンドを送信する送信手段と、
　前記確認コマンドに対する応答情報を受信する情報受信手段と、
　前記情報受信手段により受信された前記応答情報に基づいて、前記ネットワークにおいて立ち上がっている機器を示すネットワーク形態情報を表示させる表示制御手段と、
を有することを特徴とする印刷装置。
　【請求項３】
　前記ネットワーク形態情報の出力を指示する出力コマンドを受信するコマンド受信手段を有し、
　前記送信手段は、前記コマンド受信手段により前記出力コマンドが受信された場合、前記確認コマンドを送信することを特徴とする請求項１あるいは２に記載の印刷装置。
　【請求項４】
　前記送信手段は、前記確認コマンドをネットワークにブロードキャストすることを特徴とする請求項１乃至３のいずれかに記載の印刷装置。
　【請求項５】
　ネットワークに接続されていて印刷をする印刷装置におけるネットワーク形態出力方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークにおいて立ち上がっている機器を示すネットワーク形態情報を出力部に出力させる出力制御ステップと、を有することを特徴とするネットワーク形態出力方法。
　【請求項６】
　ネットワークに接続されていて印刷をする印刷装置におけるネットワーク形態出力方法であって、
　前記ネットワークに接続されている機器を確認するための確認コマンドを送信する送信ステップと、
　前記確認コマンドに対する応答情報を受信する情報受信ステップと、
　前記情報受信ステップにより受信された前記応答情報に基づいて、前記ネットワークに接続されている機器を示すネットワーク形態情報を表示させる表示制御ステップと、を有することを特徴とするネットワーク形態出力方法。
　【請求項７】
　前記ネットワーク形態情報の出力を指示する出力コマンドを受信するコマンド受信ステップを有し、
　前記送信ステップは、前記コマンド受信ステップにより前記出力コマンドが受信された場合、前記確認コマンドを送信することを特徴とする請求項５あるいは６に記載のネットワーク形態出力方法。「
　【請求項８】
　前記送信ステップは、前記確認コマンドをネットワークにブロードキャストすることを特徴とする請求項５乃至７のいずれかに記載のネットワーク形態出力方法。」
　イ．異議申立の理由の概要
　異議申立人 江原隆彦は、証拠として甲第１及び２号証を提出し、本件発明１〜８は、特許法第２９条第２項の規定若しくは同法第１７条の２第２項の規定に違反して特許されたものであるから、それらの特許は取り消されるべき旨主張している。
　ウ．異議申立人が提出した甲各号証に記載の発明
甲第１号証（特開平６−１８３１０６号公報）には次の事項が記載されている。
「【００５１】
　表示画面におけるこれら各要求キー１９２?１９５の下には、プリンタ情報管理テーブル１９７が表示される。また、このプリンタ情報管理テーブル１９７の下には“属性の表示”、“ログ表示”、“スプール表示”および“次ページ”の４つの要求キー２０１?２０４が表示されている。これらも図２に示したタッチパネル１１７によって操作することができるようになっている。」（段落【００５１】）
「【００６８】
　図１２は、図５のステップＳ１１５における要求項目確認表示処理の具体的な流れを表わしたものである。まず、主制御部１３１は表示制御部１３２からの要求の内容をチェックする（ステップＳ２０１）。本実施例で要求の内容は、次の４つのいずれかである。
　【００６９】
　（ａ）プリンタ装置１０３（１０６、１０８）および印刷データ出力装置１４１（１４２、１４３）の一覧を表示すること。
　【００７０】
　（ｂ）各プリンタ装置１０３（１０６、１０８）のスプーリング情報をグラフで表示すること。
　【００７１】
　（ｃ）各プリンタ装置１０３（１０６、１０８）の印刷完了時間を表示すること。
　【００７２】
　（ｄ）各プリンタ装置１０３（１０６、１０８）の給紙およびスタッカ情報をグラフで表示すること。
　　　【００７３】
　要求が（ａ）に示した内容であれば（ステップＳ２０２；Ｙ）、主制御部１３１はこのプリンタ装置一覧の表示を要求する要求制御データを生成し、プリンタアクセス部１３４に依頼する（ステップＳ２０３）。プリンタアクセス部１３４では、印刷データ出力装置１４１（１４２、１４３）に要求制御データの転送を依頼して、プリンタ装置１０３（１０６、１０８）からの受信を待機する（ステップＳ２０４）。
　【００７４】
　図１３は、印刷データ出力装置から送出される要求制御データのフォーマットを示したものである。要求制御データは、制御データの種類を表わす制御データ識別子と、要求した内容を表わす要求機能コードと、要求元を示す要求元情報から構成されている。
　【００７５】
　ステップＳ２０４の処理を行った後、プリンタ装置１０３（１０６、１０８）から該当するプリンタ情報が応答制御情報として送られてきたら、プリンタアクセス部１３４はこれをプリンタ情報管理部１３３に送ってプリンタ情報管理テーブルの更新を依頼する（ステップＳ２０５）。
　【００７６】
　図１４は、プリンタ装置から送られてくる応答制御情報のフォーマットを表わしたものである。応答制御情報は、制御データの種類を表わす制御データ識別子と、応答する内容を表わした応答機能識別子と、応答元のプリンタ装置１０３（１０６、１０８）を表わした応答元情報と、その応答元の要求された各種プリンタ情報から構成されている。
　【００７７】
　プリンタ情報管理部１３３は、この応答制御情報を基にして揮発性記憶装置１３６内のプリンタ情報管理テーブルの更新処理を行う（ステップＳ２０６）。
　【００７８】
　この後、プリンタアクセス部１３４は該当するプリンタ装置１０３（１０６、
１０８）から応答制御情報が引き続き送られてきたかどうかをチェックする（ステップＳ２０７）。そして、応答制御情報が受信されていれば（ステップＳ２０８；Ｙ）、主制御部１３１がプリンタ情報管理テーブルの更新を依頼し（ステップＳ２０８）、プリンタ情報管理部１３３は、これに基づき揮発性記憶装置１３６内のプリンタ情報管理テーブルの更新処理を行う（ステップＳ２１０）。そして、表示制御部１３２はその要求項目に応じた表示を表示装置１３５に対して行う（ステップＳ２１１）。ここではプリンタ装置一覧の表示が要求されているので、図７に示したような表示が行われることになる。」（段落【００６８】〜【００７８】）
「【０１１５】
　以上説明した実施例では、１つのホストコンピュータが印刷データ出力機能部１４５とプリンタ管理機能部１４６の双方を備えているものとして説明したが、請求項２に記載したように印刷データ出力機能部１４５をプリンタ管理手段として装置的に独立させ、一または複数のプリンタ管理機能部１４６がこれに接続されるようにしてもよい。」（段落【０１１５】）
甲第２号証（特開平５−１１９４３号公報）には次の事項が記載されている。
「【００１０】
　請求項２に係る印字システムは、図２の機能ブロック図に示すように、文字・記号等を印字する複数の印字装置と、コンピュータ又はワークステーション又はワードプロセッサからなる少なくとも１つの文書処理装置であって双方向インターフェースを介して複数の印字装置に接続された文書処理装置とを備えた印字システムにおいて、印字装置に組み込まれた印字制御言語インタプリタの種類を表すインタプリタ種類情報を、文書処理装置からの照会信号に応動して文書処理装置へ送信するインタプリタ種出力手段を、複数の印字装置に夫々設け、文書処理装置に、照会信号をブロードキャスト方式で複数の印字装置に送信する照会信号出力手段と、複数の印字装置から送信されたインタプリタ種類情報に基いて文書処理装置のプリンタドライバに適合する印字制御言語インタプリタを有する印字装置を選択する印字装置選択手段とを設けたものである。」（段落【００１０】）
　エ．当審の判断
　（１）特許法第２９条第２項の規定の違反について
　本件発明１〜８の「ネットワークに接続されていて印刷をする印刷装置においてネットワークにおいて立ち上がっている機器を示すネットワーク形態情報を出力部に出力又は表示させる」ことは、甲第１及び２号証の何れにも記載も示唆もされておらず、当業者に周知の慣用技術でもない。
　そして、本件発明１〜８は「ネットワークに接続されていて印刷をする印刷装置においてネットワークにおいて立ち上がっている機器を示すネットワーク形態情報を出力部に出力又は表示させる」ことにより「ネットワークにおいて立ち上がっている機器を印刷装置のユーザに認知させることができる」という作用効果を呈するものである。
　したがって、本件発明１〜８は、甲第１及び２号証に記載の発明及び周知の慣用技術に基づいて当業者が容易に発明をすることができたものとすることができない。
　（２）特許法第１７条の２第３項の規定の違反について
　訂正前の請求項１〜１２に記載の「ネットワークに接続されている機器を示すネットワーク情報」は「ネットワークにおいて立ち上がっている機器を示すネットワーク形態情報」と訂正されて本願出願当初の明細書に記載された事項の範囲内のものとなった。
　したがって、本件発明１〜８は特許法第１７条の２第２項の規定に違反してなされたものとすることができない。
　オ．むすび
  以上のとおりであるから、異議申立の理由及び証拠によっては、本件発明１〜８についての特許を取り消すことができない。
　また、他に本件発明１〜８についての特許を取り消すべき理由を発見しない。
　よって、結論のとおり決定する。
【異議決定日】
平成１５年１２月１５日（２００３．１２．１５）
【訂正の要旨】
審決（決定）の【理由】欄参照。
（５４）【発明の名称】
印刷装置およびネットワーク形態出力方法
（５７）【特許請求の範囲】
　【請求項１】　ネットワークに接続されてい
て印刷をする
刷装
において立ち上がっている
形態
刷装
　【請求項２】　ネットワークに接続されてい
て印刷をする
刷装
において立ち上がっている
形態
刷装
　【請求項３】　前記ネットワーク
形態
刷装
　【請求項４】　前記送信手段は、前記確認コマンドをネットワークにブロードキャストすることを特徴とする請求項１乃至３のいずれかに記載の印
刷装
　【請求項
５
て印刷をする
刷装
ネットワーク形態出力方法
において立ち上がっている
形態
を有することを特徴とする
ネットワーク形態出力方法
　【請求項
６
て印刷をする
刷装
ネットワーク形態出力方法
において立ち上がっている
形態
を有することを特徴とする
ネットワーク形態出力方法
　【請求項
７
形態
５または６に
ネットワーク形態出力方法
　【請求項
８
ネットワーク形態出力方法
【発明の詳細な説明】
　【０００１】
　本発明は、ネットワークに接続されている機器と通信可能な印刷装置および
ネットワーク形態出力方法
　【０００２】
　【従来の技術】
ネットワークの構成にはＬｏｃａｌＴａｌｋにみるデイジチェーン接続、ＴｏｋｅｎＲｉｎｇにみるリング型接続、Ｅｔｈｅｒｎｅｔにみるバス型接続というようにいろいろな構成がある。
　【０００３】
　従来、所定のネットワークを介してホストコンピュータと通信可能に接続された印刷装置を備える印刷システムにおいて、ホストコンピュータから、今ネットワーク上に接続されている他のホストコンピュータや印刷装置などの中でパワーオンしている機器が何であるかを見たときに、各ホストコンピュータの名前や印刷装置の名前がホストコンピュータの画面に羅列されるだけというのが通例である。
　【０００４】
　【発明が解決しようとする課題】
　しかしながら、上記従来例ではそのネットワークに接続されている機器が何であるかという情報だけしかわからず、操作者と印刷装置を含むネットワークの形態が何であるかはわからなかった。
　【０００５】
　本発明は、上記の問題点を解決するためになされたもので、本発明の目的は、前記ネットワークに接続されている機器を確認するための確認コマンドを送信し、該確認コマンドに対する応答情報を受信し、該受信された前記応答情報に基づいて、前記ネットワークに接続されている機器を示すネットワーク情報を出力部に印刷させまたは表示させることにより、ネットワークに接続されている機器からの応答情報を収集して、ネットワークに
おいて立ち上がっている
形態
ネットワーク形態出力方法
　【０００６】
　【課題を解決するための手段】
　本発明に係る第１の発明は、ネットワークに接続されてい
て印刷をする
刷装
において立ち上がっている
形態
　【０００７】
　本発明に係る第２の発明は、ネットワークに接続されてい
て印刷をする
刷装
において立ち上がっている
形態
　【０００８】
　本発明に係る第３の発明は、前記ネットワーク
形態
　【０００９】
　本発明に係る第４の発明は、前記送信手段は、前記確認コマンドをネットワークにブロードキャストすることを特徴とする。
　本発明に係る第５の発明は、ネットワークに接続されていて
印刷をする
ネットワーク形態出力方法
において立ち上がっている
形態
　本発明に係る第６の発明は、ネットワークに接続されていて
印刷をする
ネットワーク形態出力方法
において立ち上がっている
形態
　本発明に係る第７の発明は、前記ネットワーク
形態
　本発明に係る第８の発明は、前記送信ステップは、前記確認コマンドをネットワークにブロードキャストすることを特徴とする。
　【００１０】
　【００１１】
　【００１２】
　【００１３】
　【００１４】
　【実施例】
　〔第１実施例〕
　図１は本発明の第１実施例を示す印刷システムの構成を示すブロック図であり、該印刷システムは複数のホストコンピュータと印刷装置およびこれらを通信可能に接続するネットワークから構成されている。
　【００１５】
　この図に示すように、本実施例による印刷システムは、ホストコンピュータ１０１、印刷装置本体１０４、およびネットワーク１０２と印刷装置本体１０４を接続するネットワークボード１０３から構成されている。ホストコンピュータ１０１は、プリントデータや印刷コマンドなどの印刷関連情報を印刷装置本体１０４に送り、この印刷装置本体１０４に印刷処理を行わせるように構成されている。
　【００１６】
　図２は、図１に示したネットワークボードの詳細構成を説明するブロック図である。
　【００１７】
　この図に示すように、ネットワークボード１０３は、ネットワーク１０２と物理的に接続されるネットワークインタフェース部２０１、ネットワークボード内部を制御する制御部Ａ２０２、ネットワーク内部のバス２０３、ネットワークボードを制御するためのプログラムや送受信データを一時格納したり、それぞれのネットワークの構成図のフォーマットを予め記憶させておくメモリ部２０４、印刷装置本体１０４とデータ信号のやり取りを行なうプリンタインタフェース部２０５、プリンタインタフェースのバス２０６から構成されている。
　【００１８】
　なお、制御部Ａ２０２には、中央演算処理装置（ＣＰＵ）が用いられ、制御部Ｂ２０２は構成各部に対する情報の読み／書き処理等装置全体の動作制御を行なう。
　【００１９】
　次に、図１に示した印刷装置本体１０４の構成について図３を参照して説明する。
　【００２０】
　図３は、図１に示した印刷装置本体１０４の構成を説明する詳細ブロック図である。なお、本実施例において、印刷装置本体１０４は、リードオンリメモリ（ＲＯＭ）やランダムアクセスメモリ（ＲＡＭ）を含むマイクロプロセッサシステムから構成されているが、機能的な回路構成は下記の通りである。
　【００２１】
　印刷装置本体１０４は、ネットワークボード１０３とのデータ授受のためのネットワークボードインタフェース部３０１、印刷装置全般の制御を行なう制御部Ｂ３０２、印字を制御する各種パラメータを設定するのに用いることのできる操作パネル３０３、印刷装置本体内部のバス３０４、ホストコンピュータ１０１からのプリントデータおよび印刷コマンド解析部３０５、文字や図形などのデータをメモリに展開するパターン展開部３０６、展開されたデータを例えばレーザプリンタにより用紙上に永久可視像形成する出力部３０７を印刷装置本体１０４に備えている。
　【００２２】
　なお、制御部Ｂ３０２には、中央演算処理装置（ＣＰＵ）が用いられ、制御部Ｂ３０２は構成各部に対する情報の読み／書き処理等装置全体の動作制御を行う。また、パターン展開部３０６にはランダムアクセスメモリ（ＲＡＭ）のような読み／書き自由なメモリを備えている。さらに、コマンド解析部３０５は、ハード表現しているが、本実施例では、制御部Ｂ３０２のソフトウエア処理によりコマンド解析を行っている。ソフトウエア処理に代わりデコーダ（信号解読器）等で構成しても良い。また、出力部３０７には後述するようなプリンタエンジンを備えるプリンタを用いる。
　【００２３】
　図４は、図１に示した印刷装置本体１０４による印刷処理手順の一例を示すフローチャートであり、ホストコンピュータ１０１から送られてきたコマンドを処理し、印刷を終了するまでの処理に対応する。なお、（１）〜（７）は各ステップを示す。
　【００２４】
　まず、ステップ（１）では、ホストコンピュータ１０１からネットワークボード１０３を介してなんらかのコマンドを受け取り、続くステップ（２）では、印刷装置本体内のコマンド解析部３０５で前記コマンドを解析する。
　【００２５】
　そして、ステップ（３）ではコマンドを解析した結果、そのコマンドがネットワーク構成図印刷コマンドかどうかを判断する。ネットワーク構成図印刷コマンドである場合、ステップ（４）へ進む。
　【００２６】
　ステップ（４）では、現在同じネットワーク内にどういう機器が接続されかつ立ち上がっているかを確認する。この確認の方法としては、ネットワークボードから同報通信（ブロードキャスト）でネットワーク接続確認コマンドを送出し、返ってきた内容から接続されているものが何であるかが確認できる。ステップ（５）では、ネットワークボード内のメモリ部２０４に記憶されているネットワーク構成図のフォーマットを印刷装置本体内のパターン展開部３０６でパターン展開し、ステップ（６）で、出力部３０７より印刷出力して処理を終了する。また、ステップ（３）で、ネットワーク構成図印刷コマンドでない場合、例えば印刷装置本体に対するコマンドなどを受け取ったときは、ステップ（７）に進み処理を終了する。
　【００２７】
　【００２８】
　【００２９】
　図５は、図１に示した印刷装置本体１０４から出力される第１のシステム形態出力例を示す図であり、ネットワークがデイジチェーン型接続の場合に対応する。
　【００３０】
　この図に示すように、システム形態出力例は、例えばホストコンピュータ１０１からのネットワーク構成図印刷コマンドにより印刷装置本体１０４から出力される。
　【００３１】
　図６は、図１に示した印刷装置本体１０４から出力される第２のシステム形態出力例を示す図であり、ネットワークがバス型接続の場合に対応する。
　【００３２】
　この図に示すように、システム形態出力例は、例えばホストコンピュータ１０１からのネットワーク構成図印刷コマンドにより印刷装置本体１０４から出力される。
　【００３３】
　図７は、図１に示した印刷装置本体１０４から出力される第３のシステム形態出力例を示す図であり、ネットワークがリング型接続の場合に対応する。
　【００３４】
　この図に示すように、システム形態出力例は、例えばホストコンピュータ１０１からのネットワーク構成図印刷コマンドにより印刷装置本体１０４から出力される。
　【００３５】
　図８は、図１に示したホストコンピュータから送られるネットワーク構成図印刷コマンドのフォーマットの一例を示す図である。
　【００３６】
　以上説明したように、本実施例によれば、ホストコンピュータからのコマンドにより、今現在のネットワーク構成とどの機器が立ち上がっているかを図によって明確に知ることが可能である。
　【００３７】
　【００３８】
　【００３９】
　【００４０】
　【００４１】
　〔第２実施例〕
　なお、上記第１実施例では、ホストコンピュータから送られてきたコマンドにより、ネットワーク構成図を印刷する場合について説明したが、印刷装置本体１０の操作パネル部３０３からのシステム構成出力モードの指示操作により、今現在のネットワーク構成とどの機器が立ち上がっているかを図によって出力するように構成してもよい。以下、その実施例について説明する。
　【００４２】
　図９は、図１に示した印刷装置本体１０４上にある操作パネル部３０３の一例を示す図である。
　【００４３】
　この図に示すように、操作パネル部３０３のキー３０３Ａの押下指示により、図４に示したステップ（４）〜（６）に示す処理を実行して、図５〜図９に示すシステム形態状態をプリントアウトする。
　【００４４】
　なお、当該システム形態状態を印刷する場合には、通常のプリント時の画像濃度よりも濃度を薄く印刷するように制御してもよい。また、上記印刷に代えてＬＣＤ表示部に文字情報またはグラフィックで簡略的に表示出力あるいは音声情報で出力するように制御してもよい。また、通常のテストプリンモード実行時に、システム構成を出力する拡張テストプリンタモードを設けて、上記システム構成をプリントする構成であってもよい。
　【００４５】
　以下、図１０，図１１を参照して、図３に示した出力部３０７の構成について説明する。
　【００４６】
　なお、本発明を適用する出力部３０７はレーザプリンタのほかにインクジェットプリンタ、熱転写プリンタなどであっても良い。更に、カラー印刷を行なう場合にも同様に適用可能である。また、２値出力のプリンタに限らず、多値出力のプリンタであっても良い。
　【００４７】
　図１０は本発明を適用可能な印刷装置のエンジン構成を説明する第１の外観図であり、例えばインクジェット記録装置の場合を示す。
　【００４８】
　図において、駆動モータ５０１３の正逆回転に連動して駆動力伝達ギア５０１１、５００９を介して回転するリードスクリュー５００５の螺旋溝５００４に対して係合するキャリッジＨＣはピン（図示しない）を有し、矢印ａ、ｂ方向に往復移動される。
　【００４９】
　このキャリッジＨＣには、インクジェットカートリッジＩＪＣが搭載されている。５００２は紙押え板であり、キャリッジ移動方向に渡って紙をプラテン５０００に対して押圧する。５００７，５００８はフォトカプラで、キャリッジＨＣのレバー５００６のこの域での存在を確認して、駆動モータ５０１３の回転方向切り換えなどを行なうためのホームポジション検知手段として機能する。５０１６は記録ヘッドの全面をキャップするキャップ部材５０２２を指示する部材、５０１５はこのキャップ内を吸引する吸引手段で、キャップ内開口５０２３を介して記録ベッドの吸引回復を行なう。
　【００５０】
　５０１７はクリーニングブレードで、部材５０１９により前後方向に移動可能となる。５０１８は本体支持板で、クリーニングブレード５０１７、部材５０１９を支持する。
　【００５１】
　５０１２は吸引回復の吸引を開始するレバーで、キャリッジＨＣと係合するカム５０２０の移動に伴って移動し、駆動モータ５０１３からの駆動力がクラッチ切り換えなどの公知の伝達手段で移動が制御される。これらのキャッピング、クリーニング、吸引回復は、キャリッジＨＣがホームポジション側領域にきたときにリードスクリュー５００５の作用によってそれらの対応位置で所望の処理が行なえるように構成されているが、周知のタイミングで所望の動作を行なうように構成されていれば良い。
　【００５２】
　図１１は本発明を適用可能な印刷装置のエンジン構成を説明する第２の外観図であり、例えばレーザビームプリンタ場合に対応し、図示しないデータ源から文字パターンの登録や定型書式（フォームデータ）の登録が行なえるように構成されている。
　【００５３】
　図において、１５００はレーザビームプリンタ（ＬＢＰ）本体（以下、単に本体と呼ぶ）であり、外部に接続されている、例えば図１に示すホストコンピュータ１０１などの外部装置から供給される文字情報（文字コード）やフォーム情報あるいはマクロ命令などを入力して記憶するとともに、それらの情報に従って対応する文字パターンやフォームパターンなどを作成し、記憶媒体である記録用紙上に像で形成する。
　【００５４】
　１５１２は操作のためのスイッチおよびプリンタの状態を表示するＬＥＤ表示器が配設されている操作パネル、１０００はＬＢＰ１５００全体の制御およびホストコンピュータから供給される文字情報などを解析するプリンタ制御ユニットである。このプリント制御ユニット１０００は主に文字情報を対応する文字パターンのビデオ信号に変換してレーザドライバ１５０２に出力する。レーザドライバ１５０２は半導体レーザ１５０３を駆動するための回路であり、入力されたビデオ信号に応じて半導体レーザ１５０３から発射されるレーザ光１５０４をオン／オフ切り換えする。
　【００５５】
　これにより、静電ドラム１５０６上には文字パターンの静電潜像が形成される。この潜像は、静電ドラム１５０６周囲の現像ユニット１５０７によって現像された後、記録用紙に転写される。この記録用紙にはカセットシートを用い、カットシートは本体１５００に装着した用紙カセット１５０８に収容され、給紙ローラ１５０９および搬送ローラ１５１１とにより装置内に取り込まれて静電ドラム１５０６に供給される。なお、１５０５はポリゴンミラーである。
　【００５６】なお、本発明は、システムあるいは装置にプログラムを供給することによって達成させる場合にも適用できることは言うまでもない。
　【００５７】
　【発明の効果】以上説明したように、本発明によれば、ネットワークに接続されている機器からの応答情報を収集して、ネットワークに
おいて立ち上がっている
形態
という効果を奏する
　【００５８】
　【００５９】
　【００６０】
　【００６１】
【図面の簡単な説明】
　【図１】
　本発明の第１実施例を示す印刷システムの構成を示すブロック図である。
　【図２】
　図１に示したネットワークボードの詳細構成を説明するブロック図である。
　【図３】
　図１に示した印刷装置本体の構成を説明する詳細ブロック図である。
　【図４】
　図１に示した印刷装置本体１による印刷処理手順の一例を示すフローチャートである。
　【図５】
　図１に示した印刷装置本体から出力される第１のシステム形態出力例を示す図である。
　【図６】
　図１に示した印刷装置本体から出力される第２のシステム形態出力例を示す図である。
　【図７】
　図１に示した印刷装置本体から出力される第３のシステム形態出力例を示す図である。
　【図８】
　図１に示したホストコンピュータから送られるネットワーク構成図印刷コマンドのフォーマットの一例を示す図である。
　【図９】
　図１に示した印刷装置本体１０４上にある操作パネル部３０３の一例を示す図である。
　【図１０】
　本発明を適用可能な印刷装置のエンジン構成を説明する第１の外観図である。
　【図１１】本発明を適用可能な印刷装置のエンジン構成を説明する第２の外観図である。
　【符号の説明】
　１０１　ホストコンピュータ
　１０２　ネットワーク
　１０３　印刷装置本体
　２０１　ネットワークインタフェース部
　２０２　制御部
　２０４　メモリ部
　２０５　プリンタインタフェース部